【事件の表示】
　平成１１年特許願第１０７９８４号「光ディスク装置」拒絶査定不服審判事件〔平成１２年１０月２４日出願公開、特開２０００−２９８８５８〕について、次のとおり審決する。
【結　論】
　本件審判の請求は、成り立たない。
【理　由】
Ｉ．手続の経緯・本願発明
　本件審判の請求にかかる特許願（以下、「本願」という）は、平成１１年４月１５日に出願されたものであって、本願請求項１，２に係る各発明は、平成１４年６月１８日付け、及び、平成１４年１２月２０日付けの各手続補正書で補正された明細書の、特許請求の範囲の請求項１，２に記載された事項により特定されるとおりのものと認められるところ、その請求項１の記載は、以下のとおりである。
　「光ディスクのトラックにレーザビームを照射し、その反射光に基づいてトラッキングエラーを検出し、検出した前記トラッキングエラーを補正すべく、トラッキングサーボ回路の可変利得増幅器の利得を自動調整する光ディスク装置において、
　前記トラッキングサーボ回路の利得の自動調整を実行する位置が光ディスクの半径方向の最内周位置と最外周位置との間にある位置であって、当該実行位置を光ディスクの種類毎に予め導出して記憶した記憶手段を備え、
　前記記憶手段から前記実行位置を読み出して前記利得を自動調整することを特徴とする光ディスク装置。」（以下、「本願発明」という）
　
　
II．刊行物及びその記載
　これに対して、原審で、拒絶の理由に引用された刊行物である実願昭５４−１５９７０４号（実開昭５６−７７０６２号公報）のマイクロフィルムには、記録情報再生装置における読取手段としてのピックアップのトラッキングサーボ装置に関し、特に、トラッキングエラー信号を増幅する増幅手段のゲインを調整するトラッキングゲインコントロール装置に関する発明について、以下の記載がある。
  （１）「（１）　ピックアップと記録媒体の記録トラックとの離間距離に応じたトラッキングエラー信号を発生する手段と、このトラッキングエラー信号を増幅する増幅手段と、この増幅出力に応じて前記ピックアップのトラッキング状態を制御する手段とを含む記録情報再生装置におけるピックアップのトラッキングサーボ装置であって、前記ピックアップの前記記録媒体の半径方向における相対位置を検出してピックアップが少くとも記録媒体の最外周にあるときの前記増幅手段のゲインを最内周にあるときのゲインよりも大に制御するゲイン制御手段を有してなるトラッキングサーポ装置。
（２）　前記ゲイン制御手段は前記ピックアップが前記記録媒体の最外周と最内周との間の少くとも１の所定位置に到来したことを検出して検出信号を発生する手段を有し、この検出信号により前記増幅手段のゲインを段階的に変化せしめるようにした実用新案登録請求の範囲第１項記載の装置。
（３）　前記ゲイン制御手段は前記ピックアッブの前記相対位置に対応した検出信号を発生する手段を有し、この検出信号により前記増幅手段のゲインを連続的に変化せしめるようにした実用新案登録請求の範囲第１項記載の装置。」（実用新案登録請求の範囲）
  （２）「かゝるディスクの再生は、レーザ光をピックアップ手段として用い、これをディスクに照射してその反射光又は透過光を復調することによりなされる。かゝるビデオディスクの再生装置においては、ピックアップとしてのレーザ光スポットがトラック上を常に正確にトラッキングするよういわゆるトラッキングサーボ装置が設けられている。」（第３頁第２〜８行目）
  （３）「第１図は当該トラッキングエラー発生原理を説明する図であり、（Ａ）はピックアップのスポット光１〜３とビデオトラック４との位置関係を示しており、スポット光１及び２はトラッキングエラー信号を発生するためのものであり、スポット光３は再生ＲＦ信号を得るためのものである。図においてはピックアップが正確にビデオトラック４上に位置しており、再生スポット光３から得られるＲＦ信号レベルが最大の状態にある場合であって、この時スポット光１及び２はそれぞれ半分ずつトラック４上に照射されている。そしてトラッキングエラー信号としてはスポット光１及び２からの反射光による信号の差(Ｓ２−Ｓ１)が用いられるから、図の状態においてはエラー信号レベルは零を示すことになる。よってエラー信号はピックアップとトラック４とのずれに応じて図（Ｂ）の実線にて示す如き波形となることが判る。」（第４頁第１行〜１７行目）
  （４）「このようにして得られたトラッキングエラー信号は、ピックアップとディスクの半径方向の相対位置関係によつてそのレベルが変化することが経験的に知られている。その理由としては、ビデオトラックの曲率半径がディスク位置すなわち内外周によって異なることやピックアップアームがいわゆるオフセットを有しているためにディスクの半径方向に沿って直線的に移動しないこと等の理由によるものと考えられる。」（第４頁第１８行〜第５頁第６行目）
  （５）「本考案のトラッキングサーボ装置においては、ピックアップの記録媒体であるディスクの半径方向における相対位置を検出してピックアップが少くともディスクの最外周にあるときのエラー信号増幅器のゲインを最内周にあるときの増幅器のゲインよりも大に制御するようにしている。
　当該ゲインの制御態様としては、ピックアップがディスクの所定位置に到来したときにゲインを段階的に変化せしめるようにする方法と、ピックアップのディスクの位置に応じて連続的にゲインを変化せしめる方法とがある。」（第５頁第１７行〜第７頁第８行目）
  （６）「第２図は本考案の実施例を示すブロック図であり、ピックアップのスポット光１及び２による光は光電変換器５及び６によりそれぞれ電気信号Ｓ１及びＳ２に変換される。これら両信号Ｓ１及びＳ２は差動アンプア７において増幅されて（Ｓ２−Ｓ１）に比例した信号が得られこれがトラッキングエラー信号出力となる。このエラー信号はイコライザ回路８及びＶＣＡ（利得制御型増幅器）９を経てトラッキングミラー１０を駆動する駆動コイル１１の駆動信号となる。
　そしてＶＣＡ９のゲインを制御するための制御手段２０として、ピックアップのディスク半径方向の位置を検出する位置検出器１２と、この位置検出出力に応答してゲイン制御信号を発生する信号発生回路１３とが設けられている。」（第６頁第１０行〜第７頁第４行目）
  （７）「第３図は第２図におけるゲイン制御手段２０の動作を説明するための図である。先ずディスク半径方向の特定個所ヘピックアッブが到来したときに段階的にＶＣＡ９のゲインを可変する場合について説明する。図（Ａ）の如く、ピックアップがディスク最内周ｒ0 から順次最外周ｒ6へ向って特定個所ｒ1，ｒ2，・・・ｒ5を通過するごとに、これを検出して検出信号ａ1，ａ2，・・・ａ5をそれぞれ発生するようにする。この各検出信号ａ1〜ａ5に応じてそれぞれ異なる電流値若しくは電圧値を有するようなゲイン制御信号を発生するようにすればＶＣＡ９のゲインが各個所を通過する毎に変化するから、最外周のゲインを最大に設定して順次段階的にゲインを小にすることができる。
　また、同図（Ｂ）のようにディスクの半径方向に沿う１つの特定個所ｒ3のみにピックアップが到来したことを検出してその時点でゲインを可変させるようにしても、トラッキングの内外周におけるレベル補償は十分可能となりうる。図の（Ａ），（Ｂ）に示す例においては、ディスクの半径方向の各特定個所に対応する部分に例えばマイクロスィッチ等を設置しておき、ピックアップアームとこれらスイッチとの接触をもってスイッチを制御してＶＣＡ９のゲイン設定をなすこともできるし、また光学的に位置検出をなすようにしてもよい。」（第７頁第５行〜第８頁第９行目）
  （８）「以上のように本考案によればトラッキングエラー信号のレベルがピックアップ位置に応じて制御されて略一定に保持されるから、トラッキングサーボが正確になされることになる。」（第８頁第１８行〜第９頁第１行目）
　
　以上の記載を図面を参照して整理すると、刊行物には、結局、以下の発明が記載されているものと認める。
　「レーザ光をピックアップとして用い、これをディスクに照射してその反射光又は透過光を復調することにより再生を行うビデオディスク等の記録媒体の再生装置であって、
　ピックアップと記録媒体の記録トラックとの離間距離に応じたトラッキングエラー信号を発生する手段と、
　このトラッキングエラー信号を増幅する増幅手段と、
　この増幅出力に応じてピックアップのトラッキング状態を制御する手段とを含むピックアップのトラッキングサーボ装置を備え、
  トラッキングサーボ装置は、
　ピックアップの記録媒体の半径方向における相対位置を検出してピックアップが少くとも記録媒体の最外周にあるときの増幅手段のゲインを最内周にあるときのゲインよりも大に制御するゲイン制御手段を有し、
　ゲイン制御手段は、ピックアップが記録媒体の最外周と最内周との間の少くとも１の所定位置に到来したことを検出して検出信号を発生する例えばマイクロスィッチ、又は、光学的位置検出手段を有し、この検出信号により増幅手段のゲインを段階的又は連続的に変化せしめ、トラッキングエラー信号のレベルがピックアップ位置に応じて制御されて略一定に保持されるようにしたビデオディスクの再生装置。」
  
  
III．対比・判断
　１．対比
　本願発明と刊行物記載の発明と対比する。
　いずれの発明も、光ディスクのトラッキングサーボ回路（装置）のトラッキングエラー信号を増幅する増幅器の利得（ゲイン）を光ディスクの内周と外周との間の特定位置で調整しようする点で共通するものである（平成１４年６月１８日付け意見書で、出願人が認めるところでもある）。
　刊行物記載の発明において、増幅手段のゲインを変化させ、トラッキングエラー信号のレベルを略一定に保持することは、トラッキングエラーを補正することに他ならない。
　また、刊行物記載の発明において、ピックアップの記録媒体との相対位置は、マイクロスィッチ、又は、光学的位置検出手段で検出されるものではあるが、検出手段により検出される位置は、利得（ゲイン）を調整すべき位置であって、予め光ディスクに対応して取得し、設定されたものであることは明らかであり、利得（ゲイン）の自動調整実行位置を予め導出しておく点で、本願発明と格別の差異はない。
　
　結局、両発明の一致点及び相違点は以下のとおりである。
　 ［一致点］
「光ディスクのトラックにレーザビームを照射し、その反射光に基づいてトラッキングエラーを検出し、検出した前記トラッキングエラーを補正すべく、トラッキングサーボ回路の可変利得増幅器の利得を自動調整する光ディスク装置において、
　前記トラッキングサーボ回路の利得の自動調整を実行する位置が光ディスクの半径方向の最内周位置と最外周位置との間にある位置であって、予め導出した位置であることを特徴とする光ディスク装置。」
 
   ［相違点］
　利得の自動調整を実行位置について、本願発明では、実行位置を光ディスクの種類毎に記憶した記憶手段を備え、該記憶手段から実行位置を読み出して利得を自動調整するようにしているのに対して、刊行物記載の発明では、複数種類の光ディスクに対応してなく、又、自動調整の実行位置を記憶するための記憶手段を備えていない点
  
　２．判断
　光ディスク装置において、トラッキングサーボ、フォーカシングサーボなどの光ディスクの反射光の検出を要件とする各種制御ループのループゲインなどの制御パラメータが、光ディスク自体の特性によって異なることは自明であり、複数種類の光ディスクに対応した光ディスク装置において、光ディスクの種類毎に対応した制御パラメータを記憶手段に記憶し、記録・再生しようとする光ディスクの種類に応じて、切換設定することもごく周知のことである（なお、必要があれば、例えば、特開平８−３６７６１号公報，特開平６−１６２６４８号公報，特開平５−３１４５２２号公報参照）。
　また、光ディスクにおけるトラッキングサーボループのループゲイン設定・調整などの実行位置として、光ディスクに記録されたアドレス情報を記憶手段に記憶して用いることも、ごく周知のことである（必要があれば、例えば、特開平２−１５４３０号公報，特開平４−１９５８２９号公報，特開平４−３７２７３９号公報参照）。
　したがって、刊行物記載の発明において、複数種類の光ディスクに対応させることは、適宜になし得ることであり、その際、光ディスクの種類毎に、各種制御パラメータと共に自動調整の実行位置についての情報も記憶手段に記憶して用いることは、格別の発明力を要すことなく適宜に採用し得る範囲内のものと認める。
　結局、本願発明は、上記刊行物記載の発明に基づいて当業者が容易に発明し得たものと認める。
　
　
IV．むすび
　以上のとおりであるから、本願請求項１に係る発明は、刊行物記載の発明及び周知技術に基づいて当業者が容易に発明をすることができたものと認められるから特許法２９条第２項の規定により特許を受けることができない。
　
　したがって、本願は、その余の請求項について論及するまでもなく拒絶すべきもので原査定は妥当なものである。
　
　よって、結論のとおり審決する。